(57)【要約】【課題】妨害局が存在する場合であっても、選局時の誤通過を防止できる放送受信装置を提供すること。【解決手段】受信周波数を掃引し、受信信号のレベルがＳＤチェックにおけるＳメータ信号のスレッショルドレベル以上（ＳＤチェックがＨ判定）のときに掃引を停止して前記受信周波数で受信状態とするシーク機能を有する放送受信装置であって、前記受信信号のレベルを検出するシグナルメータ（８）と、入力信号の電界強度によって前記受信信号のレベルを制御するＡＧＣ回路（１１）と、を備え、隣接妨害チャンネルが存在するためＡＧＣ回路（１１）が動作している状態において、ＰＩＮダイオード（１３）に印加される直流電圧値が所定の直流電圧値以上である場合に、Ｓメータ信号のスレッショルドレベルをより小さい値に変更することを特徴とする。【選択図】図１
2012156989.tif 000002
【特許請求の範囲】
【請求項１】
受信周波数を掃引し、受信信号のレベルが第１のレベル以上のときに掃引を停止して前記受信周波数で受信状態とするシーク機能を有する放送受信装置であって、
前記受信信号のレベルを検出するシグナルメータと、
入力信号の電界強度によって前記受信信号のレベルを制御するＡＧＣ回路と、を備え、
前記ＡＧＣ回路が動作している状態において、前記入力信号の電界強度が第２のレベル以上の場合に、前記第１のレベルの値をより小さい値に変更することを特徴とする放送受信装置。
【請求項２】
前記シーク機能を実現するためのファームウェアに、前記入力信号の電界強度が前記第２のレベル以上か否か判定する判定機能を備えることを特徴とする請求項１記載の放送受信装置。
【請求項３】
前記入力信号を減衰させるＰＩＮダイオードを有した減衰回路を備え、
前記ＡＧＣ回路は、受信信号の電界強度に応じた制御電圧を生成して前記受信信号のレベルを制御し、
前記ＡＧＣ回路で生成した制御電圧に対応した直流電圧を前記ＰＩＮダイオードに印加し、前記入力信号の電界強度が前記第２のレベルを超えたときに前記ＰＩＮダイオードがオンするように設定したことを特徴とする請求項１又は請求項２記載の放送受信装置。
【請求項４】
前記ＰＩＮダイオードに印加する直流電圧の大きさを所定の電圧値と比較することによってＡＧＣ回路がオンしているかオフしているかを判断し、前記入力信号の電界強度が前記第２のレベル以上か否かを判定することを特徴とする請求項３記載の放送受信装置。
【請求項５】
前記ＡＧＣ回路のＡＧＣ動作状態を示すデータがレジスタに記憶され、前記ファームウェアが前記レジスタに記憶されたレジスタ値によって前記ＡＧＣ回路がオンしているかオフしているかを判断し、前記入力信号の電界強度が前記第２のレベル以上か否かを判定することを特徴とする請求項２記載の放送受信装置。
【請求項６】
ＡＭ放送またはＦＭ放送を受信することを特徴とする請求項１から請求項５のいずれか記載の放送受信装置。
【発明の詳細な説明】
【技術分野】
【０００１】
本発明は、選局時の誤通過を防止した放送受信装置に関する。
【背景技術】
【０００２】
従来、クオリティの高いチャンネルを選局する自動選局（シーク）機能を備えた放送受信装置が知られている（例えば、特許文献１参照）。この特許文献に記載のＡＭラジオ受信機は、ＳＤ（Ｓｔａｔｉｏｎ  Ｄｅｔｅｃｔｏｒ）チェックおよびＩＦ（Ｉｎｔｅｒｍｅｄｉａｔｅ  Ｆｒｅｑｕｅｎｃｙ）カウントの結果を総合判定して、クオリティの高いチャンネルを選局している。
【０００３】
ＳＤチェックとは、受信ＲＦ信号を周波数変換した中間周波数（ＩＦ）信号の電界強度を示すＳメータ信号をスレッショルドレベルと比較し、Ｓメータ信号がスレッショルドレベルよりもハイ（Ｈｉｇｈ：Ｈ）かロー（Ｌｏｗ：Ｌ）かを判定する（以下、Ｈ／Ｌ判定と記す）判定方法である。また、ＩＦカウントとは、ＩＦ信号のカウント値は妨害が無い状態では、原理的に目的受信局の周波数スペクトルの平均周波数である中間周波数ｆＩＦになるが、隣接妨害を受けている状態では、隣接妨害局の信号成分が含まれるため、周波数スペクトルが隣接妨害局側へシフトし、その平均周波数に対応して得られるカウント値ＮもｆＩＦからずれた値となることを利用して、受信周波数のクオリティを判定する判定方法である。
【０００４】
一般的に、クオリティの低いチャンネルを選局することのないよう、ＳＤチェックにおけるＳメータ信号のスレッショルドレベルは、３０［ｄＢｕＶ］前後の電界強度に設定される。図７（ａ）は、シーク対象となる放送帯域に存在する放送局（チャンネル）の電界強度（縦軸）とチャンネル周波数（横軸）との関係を示すグラフである。このグラフにおいて、Ｓメータ信号のスレッショルドレベルを示す直線Ｘより上側に存在する受信チャンネルＡは、ＳＤチェックにおいてＨ判定となるクオリティの高いチャンネルであり、直線Ｘより下側に存在する受信チャンネルＢは、ＳＤチェックにおいてＬ判定となるクオリティの低いチャンネルである。
【先行技術文献】
【特許文献】
【０００５】
【特許文献１】特開平９−２９４０８０号公報
【発明の概要】
【発明が解決しようとする課題】
【０００６】
ところで、従来の放送受信装置においては、所望の受信チャンネル（以下、希望チャンネルと記す）に隣接するチャンネル（以下、隣接妨害チャンネルと記す）の信号レベルが高いと隣接妨害が発生する。このとき、隣接妨害チャンネルの信号レベルを減衰するためにＡＧＣ（Ａｕｔｏｍａｔｉｃ  Ｇａｉｎ  Ｃｏｎｔｒｏｌ）回路が動作するが、隣接妨害チャンネルの信号レベルが高いと、希望チャンネルの受信レベルも同時に減衰されてしまう。これに伴って、クオリティの高いチャンネルのＳメータ信号も低下し、ＳＤチェックでＨ判定されずに誤通過するという課題があった。
【０００７】
すなわち、図７（ｂ）に示すように、妨害信号Ｃの存在によってＡＧＣ回路が減衰を強める方向に動作すると、本来はクオリティの高いチャンネルＡおよびクオリティの低いチャンネルＢの電界強度が一緒に下がって、それらのチャンネルに対応するＳメータ信号も低下する。これにより、本来Ｈ判定とされるべきＹで囲まれた領域に存在するクオリティの高いチャンネルＡが、スレッショルドレベルとの関係でＬ判定となってしまう。この結果、これらのチャンネルＡは選局されずに誤通過が発生してしまう。
【０００８】
この誤通過を防ぐ対策として、ＡＧＣ回路での減衰量を少なくしてクオリティの高いチャンネルのＳメータ信号の低下を抑制する対策が挙げられる。しかし、この対策によれば、隣接妨害チャンネルの電界強度を十分に低下できないため、隣接妨害チャンネルによる混信が増大し、受信性能の低下につながってしまう。
【０００９】
また、誤通過を防ぐ別の対策として、ＳＤチェックにおけるスレッショルドレベルを下げる対策が挙げられる。しかし、この対策によれば、隣接妨害チャンネルが存在しない状態において、クオリティの低いチャンネルがＨ判定とされる誤停止の増加につながってしまう。
【００１０】
本発明は、かかる点に鑑みてなされたものであり、大きな妨害信号が存在する場合であっても、選局時の誤通過を防止できる放送受信装置を提供することを目的とする。
【課題を解決するための手段】
【００１１】
本発明の放送受信装置は、受信周波数を掃引し、受信信号のレベルが第１のレベル以上のときに掃引を停止して前記受信周波数で受信状態とするシーク機能を有する放送受信装置であって、前記受信信号のレベルを検出するシグナルメータと、入力信号の電界強度によって前記受信信号のレベルを制御するＡＧＣ回路と、を備え、前記ＡＧＣ回路が動作している状態において、前記入力信号の電界強度が第２のレベル以上の場合に、前記第１のレベルの値をより小さい値に変更することを特徴とする。
【００１２】
この放送受信装置によれば、妨害信号が存在することによりＡＧＣ回路が動作している状態において、ＡＧＣ回路への入力信号の電界強度のレベルが所定の第２のレベル以上の場合に、第１のレベルであるＳメータ信号のスレッショルドレベルの値をより小さい値に変更することができる。そのため、ＡＧＣ回路の動作によって、クオリティの高い放送チャンネルの電界強度が低下している場合であっても、Ｓメータ信号のスレッショルドレベルの値も小さく変更されているため、ＳＤチェックにおいてＨ判定となり、選局時の誤通過を防止することが可能となる。
【００１３】
また、上記放送受信装置において、前記シーク機能を実現するためのファームウェアに、前記入力信号の電界強度が前記第２のレベル以上か否か判定する判定機能を備えることを特徴とする。
【００１４】
また、上記放送受信装置において、前記入力信号を減衰させるＰＩＮダイオードを有した減衰回路を備え、前記ＡＧＣ回路は、受信信号の電界強度に応じた制御電圧を生成して前記受信信号のレベルを制御し、前記ＡＧＣ回路で生成した制御電圧に対応した直流電圧を前記ＰＩＮダイオードに印加し、前記入力信号の電界強度が前記第２のレベルを超えたときに前記ＰＩＮダイオードがオンするように設定することが好ましい。この場合には、ＡＧＣ回路で取り出した受信信号のレベルに応じた直流電圧値とＰＩＮダイオードに設定されたスレッショルドレベルとを比較することにより、妨害信号の有無を判定できるため、この結果に応じてＳＤチェックにおけるＳメータ信号のスレッショルドレベルを変更することが可能となる。
【００１５】
また、上記放送受信装置において、前記ＰＩＮダイオードに印加する直流電圧の大きさを所定の電圧値と比較することによってＡＧＣ回路がオンしているかオフしているかを判断し、前記入力信号の電界強度が前記第２のレベル以上か否かを判定することを特徴とする。
【００１６】
また、上記放送受信装置において、前記ＡＧＣ回路のＡＧＣ動作状態を示すデータがレジスタに記憶され、前記ファームウェアが前記レジスタに記憶されたレジスタ値によって前記ＡＧＣ回路がオンしているかオフしているかを判断し、前記入力信号の電界強度が前記第２のレベル以上か否かを判定することを特徴とする。
【００１７】
さらに、上記放送受信装置において、ＡＭ放送またはＦＭ放送を受信することが好ましい。この場合には、選局時の誤通過が防止され、精度よくクオリティの高い放送局を検出できる。
【発明の効果】
【００１８】
本発明によれば、大きな妨害信号が存在する場合であっても、選局時の誤通過を防止できる放送受信装置を提供できる。
【図面の簡単な説明】
【００１９】
【図１】一実施の形態に係る放送受信装置について、その要部構成を示す機能ブロック図である。
【図２】上記実施の形態に係る放送受信装置におけるＰＩＮダイオードに印加される直流電圧と受信ＲＦ信号の電界強度との関係を示すグラフである。
【図３】上記実施の形態に係る放送受信装置のシーク時における主要な処理の流れを示すフローチャートである。
【図４】上記実施の形態に係る放送受信装置のシークによる検出結果を示すグラフである。
【図５】本発明の変形例に係る放送受信装置について、その要部構成を示す機能ブロック図である。
【図６】上記変形例に係る放送受信装置のシーク時におけるＳメータ信号のスレッショルドレベルを変更する処理の流れを示すフローチャートである。
【図７】従来例の放送受信装置のシークによる検出結果を示すグラフである。
【発明を実施するための形態】
【００２０】
以下、本発明の実施の形態について添付図面を参照して詳細に説明する。
図１は、本実施の形態に係る放送受信装置の要部構成を示す機能ブロック図であり、ＡＭ/ＦＭチューナーに適用した例が示されている。図１に示すように、放送受信装置は、各放送局から放送された放送波をアンテナ１で受信し、アンテナ１から出力される受信ＲＦ信号をチューナー部２に供給する。チューナー部２においてＩＦ信号に周波数変換された受信ＩＦ信号からクオリティチェック用のパラメータを測定してマイコン部３へ出力する。マイコン部３においてパラメータ測定結果から選局のためのいくつかの判定処理を行う。マイコン部３は、プロセッサ、プロセッサと協働してファームウェアを実現するプログラムが記憶されたメモリなどを備える。
【００２１】
アンテナ１から出力されるＲＦ信号は、ＲＦフィルタ４において放送帯域のチャンネル信号が抽出され、ＬＮＡ（Ｌｏｗ  Ｎｏｉｓｅ  Ａｍｐｌｉｆｉｅｒ）回路５において低雑音で増幅される。増幅されたＲＦ信号は、ミキサ６において局部発振信号とミキシングされて中間周波数（ＩＦ）信号に変換される。シーク時には、ミキサ６に供給する局部発振信号の周波数を切り替えることで放送帯域全体をスイープする。ミキサ６から出力されるＩＦ信号は、ＩＦフィルタ７において受信チャンネル信号以外が制限され、シグナルメータ（Ｓメータ）８において受信チャンネル信号の電界強度に応じたＳメータ信号に変換される。
【００２２】
シーク機能によるチャンネル（放送局）選択は、ＳＤチェック部９およびＩＦカウント部１０によるパラメータ測定値を用いて行われる。ここで、ＳＤチェックおよびＩＦカウントについて簡単に説明する。ＳＤチェックは、マイコン部３のファームウェア上でＳメータ信号のレベルとスレッショルドレベルとを比較してＨ／Ｌ判定を実行する判定方法である。ＳＤチェックでは、Ｓメータ信号のレベルが、スレッショルドレベルと比較してＨ判定（Ｓメータ信号＞スレッショルドレベル）である場合に、クオリティの高い放送局からの放送信号（特定チャンネル）をとらえたと判定する。また、ＩＦカウントは、ＩＦ信号を同期検波し、マイコン部３のファームウェア上で検波値が所定のレベルの範囲内にあるときの回数をカウントして、所定時間内にその数が所定の値の範囲内にあるか否かＨ／Ｌ判定を実行する。ＩＦカウントでは、カウント数が所定の値の範囲内にあるＨ判定（所定値ｍｉｎ＜カウント数＜所定値ｍａｘ）である場合に、クオリティの高い放送局からの放送信号（特定チャンネル）をとらえたと判定する。そして、この２通りの方法による判定結果がともにＨ判定であった場合に、クオリティの高いチャンネルを選局できたと判定する。
【００２３】
また、チューナー部２は、受信ＲＦ信号の信号レベルを検出し、検波出力から取り出した直流電圧をもとにＬＮＡ回路５の利得を制御するＡＧＣ回路１１を備えている。具体的には、ＡＧＣ回路１１は、入力された受信ＲＦ信号のＲＦレベルに応じた直流電圧を生成し、生成した直流電圧を制御電圧としてＬＮＡ５に出力する。ＡＧＣ回路１１は、シーク中に強電界の妨害信号（隣接妨害チャンネル）が検出されると、大入力信号に応答して妨害信号の電界強度を抑圧する制御電圧を出力する。例えば、ＡＧＣ回路１１は、妨害電波が強い（所定値以上）場合に、直流電圧からなる制御電圧が小さくなってＬＮＡ回路５の利得を下げるように動作する。
【００２４】
アッテネータ（Ａｔｔｅｎｕａｔｏｒ：ＡＴＴ）１２は、ＡＧＣ回路１１の制御電圧に応じてアンテナ１から入力されるＲＦ信号のレベルの減衰量を調節して、アンテナ１から入力されるＲＦ信号のレベルを最適化するように動作する。アッテネータ１２は、例えばＲＦフィルタ４の一部（信号経路）を接地する可変抵抗器として機能するＰＩＮダイオード１３を備えている。ＡＧＣ回路１１から制御電圧に対応した電圧値の直流電圧がアッテネータ１２へ入力される。アッテネータ１２は、ＰＩＮダイオード１３のアノードにバイアス抵抗を介して上記直流電圧を印加すると共にアノードがバイパスコンデンサを介して高周波的に接地される。一方、ＰＩＮダイオード１３のカソードは他のバイパスコンデンサを介してＲＦフィルタ４の一部（信号経路）に接続される。例えば、ＡＧＣ回路１１は、妨害電波が強い（所定値以上）場合に、制御電圧が小さくなるが、制御電圧が小さくなるのに応じてＰＩＮダイオード１３へ入力される直流電圧が大きくなるように変換する。ＡＧＣ回路１１がＯＮする制御電圧に合わせて、ＰＩＮダイオード１３がＯＮする直流電圧となるように設定する。ＰＩＮダイオード１３がＯＮして抵抗値が下がることで、ＰＩＮダイオード１３を介してＲＦ信号がグラウンドに流れ、その結果、ＲＦ信号を減衰させることができる。マイコン部３のファームウェア上において、ＰＩＮダイオード１３に印加される直流電圧値と、スレッショルドレベルとのＨ／Ｌ判定が実行される。ここで、ファームウェアとは、マイコン部３の不揮発性記憶領域にあらかじめ書き込まれたソフトウェアをいう。なお、本実施の形態はＰＩＮダイオード１３に印加される直流電圧とスレッショルドレベルとをコンパレータ１４で比較し、比較結果をマイコン部３のファームウェアへ伝えている。
【００２５】
図２は、このＰＩＮダイオード１３に印加される直流電圧（縦軸）と入力信号となる受信ＲＦ信号の電界強度（横軸）との関係を示すグラフである。図２に示すように、受信ＲＦ信号の電界強度が大きくなるほど、このＰＩＮダイオード１３に印加される直流電圧は高くなる。また、受信ＲＦ信号の電界強度が５０〜８０［ｄＢｕＶ］である場合には、ＰＩＮダイオード１３に直流電圧は印加されない。これは、所定レベル以上の妨害信号が存在せず、ＡＧＣ回路１１が動作していないためである。
【００２６】
図２に示す直流電圧値の特性曲線Ｚにおいて、ＰＩＮダイオード１３に印加される直流電圧値が、スレッショルドレベルを示す直線Ｗより下側に存在する場合、Ｈ／Ｌ判定の結果はＬ判定となる。以下、この状態をＰｉｎ−Ｄｉ［０］と記す。また、ＰＩＮダイオード１３に印加される直流電圧値が、スレッショルドレベルを示す直線Ｗより上側に存在する場合、Ｈ／Ｌ判定の結果はＨ判定となる。以下、この状態をＰｉｎ−Ｄｉ［１］と記す。すなわち、電界強度がＰｉｎ−Ｄｉ［０］からＰｉｎ−Ｄｉ［１］へ切り替わる境界が第２のレベルとなる。なお、図２において、スレッショルドレベルは１［Ｖ］に設定されているが、この値に限られず、スレッショルドレベルは所定の直流電圧値であればよい。
【００２７】
続いて、本実施の形態に係る放送受信装置におけるシーク動作について説明する。図３は、この放送受信装置のシーク時における主要な処理の流れを示すフローチャートである。シーク動作は、例えば、放送受信装置の使用者により放送波を受信できる環境で自動選局（シーク）ボタンが押されることにより、開始される（ステップＳＴ１）。
【００２８】
シーク動作が開始すると、放送受信装置が消音され（ステップＳＴ２）、受信周波数の掃引が開始される。
【００２９】
続いて、ＰＩＮダイオード１３に印加される直流電圧が所定の直流電圧値以上か否か、すなわち、Ｐｉｎ−Ｄｉ［１］であるか否かを判定する（ステップＳＴ３）。妨害信号が存在する環境では、Ｐｉｎ−Ｄｉ［１］と判定される。Ｐｉｎ−Ｄｉ［１］と判定された場合には（ステップＳＴ３：Ｙｅｓ）、図４に示すように、ＳＤチェック部９におけるＳメータ信号のスレッショルドレベルをより小さな値に変更する（ステップＳＴ４）。
【００３０】
ここで、図４は、シーク対象となる放送帯域に存在する放送局（チャンネル）の電界強度（縦軸）とチャンネル周波数（横軸）との関係を示すグラフである。図４（ａ）は、妨害信号が存在しない環境下でのＰｉｎ−Ｄｉ［０］状態を示すグラフであり、直線Ｘで示すＳＤチェック部９におけるＳメータ信号のスレッショルドレベルは３０［ｄＢｕＶ］である。一方、図４（ｂ）は、妨害信号が存在する環境下でのＰｉｎ−Ｄｉ［１］状態を示すグラフであり、直線Ｘ２で示すＳＤチェック部９におけるＳメータ信号のスレッショルドレベルは３０［ｄＢｕＶ］より小さな値の２０［ｄＢｕＶ］に変更されている。
【００３１】
続いて、ＳＤチェックのＨ／Ｌ判定の結果が、Ｈ判定であるか否かを判定する（ステップＳＴ５）。また、ＩＦカウントのＨ／Ｌ判定の結果が、Ｈ判定であるか否かを判定する（ステップＳＴ６）。
【００３２】
現在の受信周波数においてクオリティの高いチャンネルが選局できていないため、ＳＤチェックおよびＩＦカウントの結果がともにＨ判定ではない場合には（ステップＳＴ５：Ｎｏ，ステップＳＴ６：Ｎｏ）、受信周波数をより高い周波数あるいはより低い周波数に変更した後（ステップＳＴ７）、再びステップＳＴ５に戻り、クオリティの高いチャンネルが選局できるまでＳＤチェックおよびＩＦカウントを繰り返す。
【００３３】
先述のとおり、妨害信号が存在する環境下でＰｉｎ−Ｄｉ［１］である場合は（ステップＳＴ３：Ｙｅｓ）、妨害信号の電界強度を所定レベル以下に抑制するためにＡＧＣ回路１１が動作してＬＮＡ回路５の利得を下げるように制御する。これにより受信ＲＦ信号が抑制される。図４（ａ）と（ｂ）とを比較すると、妨害チャンネルＣの存在によってＡＧＣ回路１１が動作（ＯＮ状態）することにより、受信チャンネルＡ，Ｂの電界強度が約３０［ｄＢ］下がっていることがわかる。しかしながら、図４（ｂ）に示すように、クオリティの高いチャンネルＡの電界強度が下がってそのＳメータ信号が低下しても、ステップＳＴ４において直線Ｘ２で示すＳＤチェックにおけるＳメータ信号のスレッショルドレベルもより小さな値に変更されているため、依然としてクオリティの高いチャンネルＡは、スレッショルドレベルを示す直線Ｘ２より上側に存在する。したがって、このチャンネルＡのＳＤチェック９の結果はＨ判定となり、誤通過の発生を回避できる。
【００３４】
一方、図４（ａ）に示すように、妨害信号が存在しないＰｉｎ−Ｄｉ［０］である場合は（ステップＳＴ３：Ｎｏ）、スレッショルドレベルはクオリティの低いチャンネルを選局することのない値のままなので、クオリティの低いチャンネルＢは、スレッショルドレベルを示す直線Ｘより下側に存在する。したがって、このチャンネルＢのＳＤチェックの結果はＬ判定となり、誤停止の発生を回避できる。
【００３５】
そして、クオリティの高いチャンネルが選局できたため、ＳＤチェックおよびＩＦカウントの結果がともにＨ判定である場合には（ステップＳＴ５：Ｙｅｓ，ステップＳＴ６：Ｙｅｓ）、受信周波数の掃引を停止してシーク動作を停止する（ステップＳＴ８）。最後に、放送受信装置の消音状態が解除され（ステップＳＴ９）、選局された放送局の放送を聴取または視聴できる。
【００３６】
以上説明したように、本実施の形態に係る放送受信装置によれば、妨害信号が存在することによりＡＧＣ回路１１が動作している状態において、ＡＧＣ回路１１への入力信号の電界強度のレベルが第２のレベルであるＰＩＮダイオード１３におけるスレッショルドレベル以上の場合に、第１のレベルであるＳＤチェックにおけるＳメータ信号のスレッショルドレベルの値をより小さい値に変更することができる。そのため、ＡＧＣ回路１１の動作によって、クオリティの高いチャンネルの電界強度が低下している場合であっても、第１のレベルであるスレッショルドレベルの値が小さく変更されているため、ＳＤチェックにおいてＨ判定となり、選局時の誤通過を防止することが可能となる。
【００３７】
以上の説明では、アッテネータ１２のＰＩＮダイオード１３に印加される直流電圧を直接モニタして、ＡＧＣ回路１１のＡＧＣ動作状態（ＯＮ／ＯＦＦ）を判定しているが、ＡＧＣ回路１１のＯＮ／ＯＦＦをレジスタに書き込み、これをマイコン部３が読み込んでＡＧＣ回路１１のＯＮ／ＯＦＦを判定するようにしても良い。以下、ＡＭ受信についてレジスタからＡＧＣ回路１１のＯＮ／ＯＦＦ状態を示すビットデータを読み込んで判定する変形例について説明するが、ＦＭ／ＡＭの区別なく対応可能である。また、ＦＭ受信用のデータ放送受信装置であれば、ＦＭ受信にのみ適用可能である。
【００３８】
図５は変形例に係る放送受信装置の要部構成を示す機能ブロック図である。本変形例に係る放送受信装置は、図１に示す放送受信装置と基本構成は同じであるが、ＡＧＣ回路１１のＯＮ／ＯＦＦをレジスタ経由で読み込む経路を利用している点が主に相違する。以下の説明では、ＦＭ受信におけるＡＧＣのＯＮ／ＯＦＦはＰＩＮダイオード１３に印加される直流電圧値から検出し、ＡＭ受信におけるＡＧＣのＯＮ／ＯＦＦはレジスタを介して読み込まれるデータに基づいて検出するものとするが、ＦＭ受信のみがＡＧＣのＯＮ／ＯＦＦを、レジスタを介して読み込まれるレジスタ値に基づいて検出するように構成しても良い。この場合、ＰＩＮダイオード１３に印加される直流電圧をコンパレータ１４と比較する経路は不要である。
【００３９】
本変形例に係る放送受信装置は、アンテナ１、チューナー部２、マイコン部３を備える。チューナー部２は、ＲＦフィルタ４、ＲＦフィルタ４から出力されるＲＦ信号を増幅するＬＮＡ回路５、ＬＮＡ回路５で利得制御されたＲＦ信号をＩＦ信号へ変換するミキサ６、ミキサ６から出力されるＩＦ信号から希望チャンネルのＩＦ信号を抽出するＩＦフィルタ７を備える。ＩＦフィルタ７から出力されるＩＦ信号は、不図示の後段回路を経てマイコン部３へ入力される。また、チューナー部２は、受信チャンネル信号の電界強度に応じたＳメータ信号を出力するシグナルメータ（Ｓメータ）８、Ｓメータ信号のレベルとスレッショルドレベルとを比較するＳＤチェック部９、ＩＦ信号を同期検波して検波値が所定のレベルの範囲内にあるときの回数をカウントするＩＦカウント部１０を備える。さらに、チューナー部２は、ＬＮＡ回路５で利得制御されたＲＦ信号の信号レベルを検波し、検波出力から取り出した直流電圧をもとにＬＮＡ回路５の利得を制御するＡＧＣ回路１１と、ＡＧＣ回路１１の出力する制御電圧に対応した直流電圧をＰＩＮダイオード１３に印加してアンテナ１から入力される受信ＲＦ信号のレベルの減衰量を調節するアッテネータ１２と、アッテネータ１２のＰＩＮダイオード１３に入力する直流電圧をスレッショルドと比較するコンパレータ１４とを備える。
【００４０】
本変形例は、ＡＧＣ回路１１のＯＮ／ＯＦＦ状態がビットデータで書き込まれるレジスタを構成するＲＡＭ１５を備える。ＡＧＣ回路１１は、ＬＮＡ回路５の出力する受信ＲＦ信号の信号レベルが所定値を超えるとＯＮ状態となって利得を下げるように動作し、受信ＲＦ信号の信号レベルが所定値より低いとＯＦＦ状態となって利得を元に戻すように動作する。具体的には、ＡＧＣ回路１１のＡＧＣ動作状態をＯＮとＯＦＦの２状態とし、ＯＮ状態とＯＦＦ状態の境界は、ＰＩＮダイオード１２がＯＮする電界強度に合わせている。
【００４１】
マイコン部３は、ＡＧＣ回路１１のＯＮ／ＯＦＦ状態を判定するＡＧＣ＿ＯＮ／ＯＦＦ判定部３１と、ＳＤチェック部９及びＩＦカウント部１０の出力に基づいてスレッショルドレベルを超えるクオリティのチャンネルを選局するＨ／Ｌ判定部３２と、ＡＧＣ＿ＯＮ／ＯＦＦ判定部３１による判定結果に対応してＳＤチェック部９のスレッショルドを切り替えるスレッショルド制御部３３とを主な機能ブロックとして備える。ＡＧＣ＿ＯＮ／ＯＦＦ判定部３１、Ｈ／Ｌ判定部３２、スレッショルド制御部３３は、ミドルウエアとプロセッサによって実現される機能である。ＳＤチェック部９に設定されるスレッショルドは停止感度と呼ぶこともできる。Ｈ／Ｌ判定部３２は、ＦＭ受信時におけるＡＧＣ＿ＯＮ時のスレッショルド（１）と、ＦＭ受信時におけるＡＧＣ＿ＯＦＦ時のスレッショルド（２）と、ＡＭ受信時におけるＡＧＣ＿ＯＮ時のスレッショルド（３）と、ＡＭ受信時におけるＡＧＣ＿ＯＦＦ時のスレッショルド（４）と、を例えば所定ビット数のビットデータ形式で記憶しており、送信コマンドによっていずれかのスレッショルドをＳＤチェック部９に設定する。
【００４２】
図６はシーク動作前に実行されるＳＤチェック部９のスレッショルド設定に関するフロー図である。マイコン部３は、シーク開始指示を受けて、以下のスレッショルド設定動作を開始する。ＦＭ受信かＡＭ受信かを判断し（ステップＳＴ１１）、ＦＭ受信状態であればコンパレータ１４の出力する比較結果に基づいて、アッテネータ１２のＰＩＮダイオード１３に入力する直流電圧がスレッショルド（第２のレベル）を超えているか否かを判断する（ステップＳＴ１２）。コンパレータ１４の比較結果がＡＧＣ回路１１のＯＮ／ＯＦＦの２状態を示すように、コンパレータ１４のスレッショルドが設定されている。ＡＧＣ＿ＯＮ／ＯＦＦ判定部３１は、コンパレータ１４の比較結果からＦＭ受信時のＡＧＣ回路１１のＯＮ／ＯＦＦ状態を判断することができる。一方、ステップＳＴ１１の判定において、ＡＭ受信状態であると判断した場合、ＲＡＭ１５の所定アドレスからＡＧＣ回路１１のＯＮ／ＯＦＦ状態を示すレジスタ値（ビットデータ）を読み込む（ステップＳＴ１３）。ＡＧＣ＿ＯＮ／ＯＦＦ判定部３１は、ＲＡＭ１５のレジスタ値（ビットデータ）からＡＧＣ回路１１のＯＮ／ＯＦＦ状態を判断することができる。
【００４３】
ＡＧＣ＿ＯＮ／ＯＦＦ判定部３１は、ＦＭ受信時にはコンパレータ１４の比較結果からＡＧＣ回路１１のＯＮ／ＯＦＦ状態を判断し、ＡＭ受信時にはＲＡＭ１５のビットデータからＡＧＣ回路１１のＯＮ／ＯＦＦ状態を判断する（ステップＳＴ１４）。ＡＧＣ回路１１のＯＮ／ＯＦＦ状態を判断した結果はスレッショルド制御部３３へ渡される。
【００４４】
スレッショルド制御部３３は、ＦＭ受信時にＡＧＣ回路１１がＯＮ状態であれば、上記スレッショルド（１）をＳＤチェック部９に設定し（ステップＳＴ１５）、ＦＭ受信時にＡＧＣ回路１１がＯＦＦ状態であれば、上記スレッショルド（２）をＳＤチェック部９に設定する（ステップＳＴ１６）。一方、スレッショルド制御部３３は、ＡＭ受信時にＡＧＣ回路１１がＯＮ状態であれば、上記スレッショルド（３）をＳＤチェック部９に設定し（ステップＳＴ１５）、ＡＭ受信時にＡＧＣ回路１１がＯＦＦ状態であれば、上記スレッショルド（４）をＳＤチェック部９に設定する（ステップＳＴ１６）。このように、入力電界強度（ＡＧＣ回路１１のＯＮ／ＯＦＦ）に対応してＳＤチェック部９に設定するスレッショルドを最適化している。
【００４５】
以上のように、ＳＤチェック部９のスレッショルドを更新した後は、図３に示すフローチャートにおけるステップＳＴ５-ＳＴ９の処理を実行する。
【００４６】
本変形例によれば、入力電界強度に対応して変化するＡＧＣ回路１１のＯＮ／ＯＦＦ状態を示すビットデータをＲＡＭ１５（レジスタ）経由でマイコン部３に取り込む経路を設けたので、例えばＰＩＮダイオード１３への入力電圧をモニタしただけでは入力電界強度を把握できない受信モード（例えばＡＭ受信状態）が存在したとしても、当該受信モード（ＡＭ受信状態）でのＡＧＣ回路１１のＯＮ／ＯＦＦ状態を検出でき、ＳＤチェック部９に設定するスレッショルドを最適化できる。
【００４７】
以上の説明では、ＦＭ受信とＡＭ受信とで異なる経路でＡＧＣ回路１１のＯＮ／ＯＦＦ状態を検出しているが、ＦＭ受信とＡＭ受信の区別なく、ＡＧＣ回路１１のＯＮ／ＯＦＦ状態を示すビットデータをＲＡＭ１５（レジスタ）経由でマイコン部３に取り込んで判定する構成としても良い。
【００４８】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【符号の説明】
【００４９】
１  アンテナ
２  チューナー部
３  マイコン部
４  ＲＦフィルタ
５  ＬＮＡ回路
６  ミキサ
７  ＩＦフィルタ
８  シグナルメータ
９  ＳＤチェック部
１０  ＩＦカウント部
１１  ＡＧＣ回路
１２  アッテネータ
１３  ＰＩＮダイオード
１４  コンパレータ
１５  ＲＡＭ
３１  ＡＧＣ＿ＯＮ／ＯＦＦ判定部
【図１】
2012156989.tif 000003
【図２】
2012156989.tif 000004
【図３】
2012156989.tif 000005
【図４】
2012156989.tif 000006
【図５】
2012156989.tif 000007
【図６】
2012156989.tif 000008
【図７】
2012156989.tif 000009